(57)【要約】      （修正有）【課題】各色波長帯域光の集光幅を揃えることができる光源装置と、この光源装置を備えて、投影光の色ムラを低減させた投影装置を提供する。【解決手段】異なる波長帯域の光束が発せられる複数の光源７１，１００，１２１と、異なる波長帯域の光束を同一光路上に導光して同一方向に向かわせる導光光学系１４０と、導光光学系１４０により導光された異なる波長帯域の光束について、各色光束の集光幅を揃える集光幅調整素子４００と、を有する。【選択図】図３
2016057443.tif 000002
【特許請求の範囲】
【請求項１】
異なる波長帯域の光束が発せられる複数の光源と、
複数の前記光源から発せられる異なる波長帯域の光束を同一光路上に導光して同一方向に向かわせる導光光学系と、
前記導光光学系により導光された異なる波長帯域の前記光束について、それぞれの前記光束の集光幅を揃える集光幅調整素子と、
を備えることを特徴とする光源装置。
【請求項２】
前記集光幅調整素子は、板状の基材中に前記光束の進行方向に対して傾斜した複数のダイクロイック層を含むダイクロイック層素子であることを特徴とする請求項１に記載の光源装置。
【請求項３】
前記ダイクロイック層素子は、前記複数の光源のうち、一の光源から発せられる一の波長帯域光の光束の集光幅を調整可能に形成される複数のダイクロイック層を含むことを特徴とする請求項２に記載の光源装置。
【請求項４】
前記ダイクロイック層素子は、前記複数の光源のうち、二つの光源から発せられる二つの異なる波長帯域光の光束の集光幅を調整可能に形成される複数のダイクロイック層を含むことを特徴とする請求項２に記載の光源装置。
【請求項５】
複数の前記ダイクロイック層は、短冊状に並べられて配置されるとともに、そのピッチ間距離は、集光幅を調整される光束の調整幅に対応して設定されていることを特徴とする請求項２乃至請求項４の何れかに記載の光源装置。
【請求項６】
前記集光幅調整素子は、前記導光光学系により導光された前記光束が入射される入射部と、前記入射部に入射された前記光束が出射される出射部と、を有するプリズム素子であって、
前記入射部及び前記出射部の少なくとも何れか一方は、傾斜する向きが異なる二つの傾斜面により形成される傾斜部を有することを特徴とする請求項１に記載の光源装置。
【請求項７】
前記集光幅調整素子は、前記導光光学系により導光された前記光束が入射される入射部と、前記入射部に入射された光束が出射される出射部と、を有するプリズム素子であって、
前記入射部及び前記出射部の少なくとも何れか一方は、楕円形の底面が前記光束の光軸と直交する楕円錐状の傾斜部を有することを特徴とする請求項１に記載の光源装置。
【請求項８】
前記傾斜部は、凹状に形成されることを特徴とする請求項６又は請求項７に記載の光源装置。
【請求項９】
前記傾斜部の角度は、集光幅を調整される光束の調整幅に対応して設定されていることを特徴とする請求項６乃至請求項８の何れか記載の光源装置。
【請求項１０】
前記プリズム素子は、集光幅を調整される光束の調整幅に対応して屈折率が設定されていることを特徴とする請求項５乃至請求項８の何れか記載の光源装置。
【請求項１１】
複数の前記光源は、第１の光源と、第２の光源と、第３の光源からなり、
前記第１の光源は、第１の波長帯域光を発し、
前記第２の光源は、前記第１の波長帯域光と異なる波長帯域の第２の波長帯域光を発し、
前記第３の光源は、前記第１の波長帯域光及び前記第２の波長帯域光と異なる波長帯域の第３の波長帯域光を発することを特徴とする請求項１乃至請求項１０の何れかに記載の光源装置。
【請求項１２】
前記第１の光源は、発光ダイオードからなり、
前記第３の光源は、レーザダイオードからなり、
前記第２の光源は、前記第３の光源からの出射光を励起光として照射される蛍光発光領域及び前記第３の光源からの出射光が透過される拡散透過領域が設けられる蛍光ホイールを備える蛍光ホイール装置を有することを特徴とする請求項１１に記載の光源装置。
【請求項１３】
請求項１乃至請求項１２の何れか記載の光源装置と、
前記光源装置からの光源光が照射され、画像光を形成する表示素子と、
前記表示素子から出射された前記画像光をスクリーンに投影する投影側光学系と、
前記表示素子と、前記光源装置を制御する投影装置制御手段と、
を有することを特徴とする投影装置。
【発明の詳細な説明】
【技術分野】
【０００１】
本発明は、光源装置及び投影装置に関する。
【背景技術】
【０００２】
今日、パーソナルコンピュータの画面やビデオ画像、さらにメモリカード等に記憶されている画像データによる画像等をスクリーンに投影する画像投影装置としてのデータプロジェクタが多用されている。このプロジェクタは、光源から出射された光をＤＭＤ（デジタル・マイクロミラー・デバイス）と呼ばれるマイクロミラー表示素子、又は、液晶板に集光させ、スクリーン上にカラー画像を表示させるものである。
【０００３】
そして、この投影装置であるプロジェクタは、パーソナルコンピュータやＤＶＤプレーヤーなどの映像機器の普及に伴って、業務用プレゼンテーションから家庭用に至るまで、用途が拡大している。このようなプロジェクタにおいて、従来は高輝度の放電ランプを光源とするものが主流であったが、近年、光源として複数のレーザダイオード等の半導体発光素子を用いるとともに、この半導体発光素子を励起光源とする蛍光ホイールを備える投影装置が種々開発されている。
【０００４】
特許文献１に開示される投影装置は、赤色発光ダイオードからなる赤色光源装置と、青色レーザダイオードからなる励起光照射装置からの出射光が励起光として照射されて緑色波長帯域の蛍光光を発する蛍光体層及び励起光照射装置からの出射光を拡散透過させる拡散透過領域を有する蛍光ホイールを備える蛍光ホイール装置と、が配置されている。励起光照射装置は、出射光が蛍光ホイールの拡散透過領域を拡散透過されることにより、青色光源ともされている。そして、赤色、緑色、青色の各波長帯域光は、導光光学系により同一光路上に合成されてライトトンネルの入射面に集光される。
【０００５】
一方、特許文献２では、映像表示画面を複数のブロックに分割し、各ブロックの輝度レベルから求めた色ムラの補正量をデジタルデータとして保存し、増幅回路等を介してＶ−Ｔ補正された映像信号に色ムラの補正量を加算する色ムラ補正装置が開示されている。
【先行技術文献】
【特許文献】
【０００６】
【特許文献１】特開２０１３−１９６９４６号公報
【特許文献２】特開平１０−８４５５１号公報
【発明の概要】
【発明が解決しようとする課題】
【０００７】
特許文献１の投影装置においては、光源特性によって、ライトトンネルの入射面での集光幅が異なっている。例えば、赤色発光ダイオードでは、発光面が横長に形成されるため、ライトトンネルの入射面での集光形状は横長とされる。一方、緑色波長帯域光である蛍光光は拡散光源のため、円形に集光される。また、青色レーザダイオードは、励起光照射装置における青色レーザダイオードの配列により、ライトトンネルの入射面での集光形状が変化する。
【０００８】
このように、ライトトンネルの入射面において集光幅が色毎に異なると、ライトトンネル出口での各色の照度分布が異なる。従って、赤色、緑色、青色の波長帯域の投影光の照度分布が、特に投影光の縁部周辺で不均一となる。このため、白色画像を投影しようとする場合、白色を形成する各原色光の分布が不均一なため、投影画像に色ムラが発生することとなる。
【０００９】
また、このような色ムラを特許文献２で開示される色ムラ補正装置により補正しようとすると、煩雑な電気的な調整が必要となり、ひいては制御プログラムの大規模化や複雑化を招いてしまう。
【００１０】
よって、本発明の目的は、各色波長帯域光の集光幅を揃えることができる光源装置と、この光源装置を備えて、投影光の色ムラを低減させた投影装置を提供する。
【課題を解決するための手段】
【００１１】
本発明の光源装置は、異なる波長帯域の光束が発せられる複数の光源と、複数の前記光源から発せられる異なる波長帯域の光束を同一光路上に導光して同一方向に向かわせる導光光学系と、前記導光光学系により導光された異なる波長帯域の前記光束について、それぞれの前記光束の集光幅を揃える集光幅調整素子と、を備えることを特徴とする。
【００１２】
本発明の投影装置は、本発明に係る上述の光源装置と、前記光源装置からの光源光が照射され、画像光を形成する表示素子と、前記表示素子から出射された前記画像光をスクリーンに投影する投影側光学系と、前記表示素子と、前記光源装置を制御する投影装置制御手段と、を有することを特徴とする。
【発明の効果】
【００１３】
本発明によれば、各色波長帯域光の集光幅を揃えることができる光源装置と、色ムラの発生を低減することのできる投影装置を提供することができる。
【図面の簡単な説明】
【００１４】
【図１】本発明の第１の実施形態に係る投影装置を示す外観斜視図である。
【図２】本発明の第１の実施形態に係る投影装置の機能ブロックを示す図である。
【図３】本発明の第１の実施形態に係る投影装置の内部構造を示す平面模式図である。
【図４】本発明の第１の実施形態に係る集光幅調整素子を示す斜視図である。
【図５】本発明の第１の実施形態に係る図６におけるＶ−Ｖ位置における光束の集光状態を示す模式図であり、（ａ）は赤色波長帯域光を示し、（ｂ）は緑色波長帯域光を示し、（ｃ）は青色波長帯域光を示す。
【図６】本発明の第１の実施形態に係る光束がライトトンネルに入射する状態を示す模式図である。
【図７】本発明の第２の実施形態に係る集光幅調整素子を示す斜視図である。
【図８】本発明の第２の実施形態に係る光束がライトトンネルに入射する状態を示す模式図である。
【発明を実施するための形態】
【００１５】
以下、本発明の実施の形態について図を用いて説明する。図１は、投影装置１０の外観斜視図である。なお、本実施形態において、投影装置１０における左右とは投影方向に対しての左右方向を示し、前後とは投影装置１０のスクリーン側方向及び光線束の進行方向に対しての前後方向を示す。
【００１６】
そして、投影装置１０は、図１に示すように、略直方体形状であって、投影装置１０の筐体の前方の側板とされる正面パネル１２の側方に投影口を覆うレンズカバー１９を有するとともに、この正面パネル１２には複数の排気孔１７を設けている。さらに、図示しないがリモートコントローラからの制御信号を受信するＩｒ受信部を備えている。
【００１７】
また、筐体の上面パネル１１にはキー／インジケータ部３７が設けられ、このキー／インジケータ部３７には、電源スイッチキーや電源のオン又はオフを報知するパワーインジケータ、投影のオン、オフを切りかえる投影スイッチキー、光源装置や表示素子又は制御回路等が過熱したときに報知をする過熱インジケータ等のキーやインジケータが配置されている。
【００１８】
さらに、筐体の背面には、背面パネルにＵＳＢ端子やアナログＲＧＢ映像信号が入力される映像信号入力用のＤ−ＳＵＢ端子、Ｓ端子、ＲＣＡ端子、音声出力端子等を設ける入出力コネクタ部及び電源アダプタプラグ等の各種端子（群）２０が設けられている。また、背面パネルには、複数の吸気孔が形成されている。なお、図示しない筐体の側板である右側パネル、及び、図１に示した側板である左側パネル１５や正面パネル１２には、各々複数の排気孔１７が形成されている。また、左側パネル１５の背面パネル近傍の隅部や背面パネルには、吸気孔１８も形成されている。
【００１９】
次に、投影装置１０の投影装置制御手段について図２の機能ブロック図を用いて述べる。投影装置制御手段は、制御部３８、入出力インターフェース２２、画像変換部２３、表示エンコーダ２４、表示駆動部２６等から構成される。
【００２０】
この制御部３８は、投影装置１０内の各回路の動作制御を司るものであって、ＣＰＵ、各種セッティング等の動作プログラムを固定的に記憶したＲＯＭ及びワークメモリとして使用されるＲＡＭ等により構成されている。
【００２１】
そして、この投影装置制御手段により、入出力コネクタ部２１から入力された各種規格の画像信号は、入出力インターフェース２２、システムバス（ＳＢ）を介して画像変換部２３で表示に適した所定のフォーマットの画像信号に統一するように変換されたあと、表示エンコーダ２４に出力される。
【００２２】
また、表示エンコーダ２４は、入力された画像信号をビデオＲＡＭ２５に展開記憶させた上でこのビデオＲＡＭ２５の記憶内容からビデオ信号を生成して表示駆動部２６に出力する。
【００２３】
表示駆動部２６は、表示素子制御手段として機能するものであり、表示エンコーダ２４から出力された画像信号に対応して適宜フレームレートで空間的光変調素子（ＳＯＭ）である表示素子５１を駆動するものである。
【００２４】
そして、この投影装置１０は、光源装置６０から出射された光線束を、光源側光学系を介して表示素子５１に照射することにより、表示素子５１の反射光で光像を形成し、投影側光学系を介してスクリーンに画像を投影表示する。尚、この投影側光学系の可動レンズ群２３５は、レンズモータ４５によりズーム調整やフォーカス調整のための駆動が行われる。
【００２５】
また、画像圧縮／伸長部３１は、画像信号の輝度信号及び色差信号をＡＤＣＴ及びハフマン符号化等の処理によりデータ圧縮して着脱自在な記録媒体とされるメモリカード３２に順次書き込む記録処理を行う。
【００２６】
さらに、画像圧縮／伸長部３１は、再生モード時にメモリカード３２に記録された画像データを読み出し、一連の動画を構成する個々の画像データを１フレーム単位で伸長し、この画像データを、画像変換部２３を介して表示エンコーダ２４に出力し、メモリカード３２に記憶された画像データに基づいて動画等の表示を可能とする処理を行う。
【００２７】
そして、筐体の上面パネル１１に設けられるメインキー及びインジケータ等により構成されるキー／インジケータ部３７の操作信号は、直接に制御部３８に送出され、リモートコントローラからのキー操作信号は、Ｉｒ受信部３５で受信され、Ｉｒ処理部３６で復調されたコード信号が制御部３８に出力される。
【００２８】
なお、制御部３８にはシステムバス（ＳＢ）を介して音声処理部４７が接続されている。この音声処理部４７は、ＰＣＭ音源等の音源回路を備えており、投影モード及び再生モード時には音声データをアナログ化し、スピーカ４８を駆動して拡声放音させる。
【００２９】
また、制御部３８は、光源制御手段としての光源制御回路４１を制御しており、この光源制御回路４１は、画像生成時に要求される所定波長帯域の光が光源装置６０から出射されるように、励起光源や赤色光源装置から所定のタイミングで赤色、緑色及び青色の波長帯域光を発光させる個別の制御を行う。
【００３０】
さらに、制御部３８は、冷却ファン駆動制御回路４３に光源装置６０等に設けた複数の温度センサによる温度検出を行わせ、この温度検出の結果から冷却ファンの回転速度を制御させている。また、制御部３８は、冷却ファン駆動制御回路４３にタイマー等により投影装置１０本体の電源オフ後も冷却ファンの回転を持続させる、あるいは、温度センサによる温度検出の結果によっては投影装置１０本体の電源をオフにする等の制御も行う。
【００３１】
次に、この投影装置１０の内部構造について図３に基づいて述べる。図３は、投影装置１０の内部構造を示す平面模式図である。投影装置１０は、右側パネル１４の近傍に制御回路基板２４１を備えている。この制御回路基板２４１は、電源回路ブロックや光源制御ブロック等を備えてなる。また、投影装置１０は、制御回路基板２４１の側方、つまり、投影装置１０筐体の略中央部分に光源装置６０を備えている。さらに、投影装置１０は、光源装置６０と左側パネル１５との間に、光源側光学系１７０や投影側光学系２２０が配置されている。
【００３２】
光源装置６０は、第１の波長帯域光である赤色波長帯域光の光源とされる第１の光源としての赤色光源装置１２０と、第２の波長帯域光である緑色波長帯域光の光源とされる第２の光源としての緑色光源装置８０と、第３の波長帯域光である青色波長帯域光の光源とされる青色光源装置であると共に励起光源ともされる第３の光源としての励起光照射装置７０と、を備える。第２の光源である緑色光源装置８０は、第３の光源である励起光照射装置７０と、蛍光ホイール装置１００とにより構成される。そして、光源装置６０には、赤、緑、青の各色波長帯域の光束を同一光路上に導光して同一方向に向かわせる導光光学系１４０が配置されている。
【００３３】
第３の光源としての励起光照射装置７０は、投影装置１０筐体の左右方向における略中央部分であって背面パネル１３近傍に配置される。そして、励起光照射装置７０は、背面パネル１３と光軸が平行となるよう配置された複数の半導体発光素子であり、第３の波長帯域光である青色波長帯域光を発する青色レーザダイオード７１から成る光源群、各青色レーザダイオード７１からの出射光の光軸を正面パネル１２方向に９０度変換する反射ミラー群７５、反射ミラー群７５で反射した各青色レーザダイオード７１からの出射光を集光する集光レンズ７８、及び、青色レーザダイオード７１と右側パネル１４との間に配置されたヒートシンク８１等を備える。
【００３４】
励起光照射装置７０は、複数の青色レーザダイオード７１がマトリクス状に配列されて成る。また、各青色レーザダイオード７１からの光軸上には、各青色レーザダイオード７１からの各出射光の指向性を高めるように各々平行光に変換するコリメータレンズ７３が夫々配置されている。また、反射ミラー群７５は、複数の反射ミラーが階段状に配列されてミラー基板７６と一体化されて位置調整を行って生成され、青色レーザダイオード７１から出射される光線束の断面積を一方向に縮小して集光レンズ７８に出射する。
【００３５】
ヒートシンク８１と背面パネル１３との間には冷却ファン２６１が配置されており、この冷却ファン２６１とヒートシンク８１とによって青色レーザダイオード７１が冷却される。さらに、反射ミラー群７５と背面パネル１３との間にも冷却ファン２６１が配置されており、この冷却ファン２６１によって反射ミラー群７５や集光レンズ７８が冷却される。
【００３６】
第１の光源としての赤色光源装置１２０には、青色レーザダイオード７１と光軸が平行となるように配置された赤色光源１２１と、赤色光源１２１からの出射光を集光する集光レンズ群１２５と、が備えられる。この赤色光源１２１は、第１の波長帯域光である赤色波長帯域の光を発する半導体発光素子である赤色発光ダイオードである。そして、赤色光源装置１２０は、赤色光源装置１２０が出射する第１の波長帯域光である赤色波長帯域光の光軸が、励起光照射装置７０から出射される第３の波長帯域光である青色波長帯域光及び蛍光ホイール１０１から出射される第２の波長帯域光である緑色波長帯域光の光軸と交差するように配置されている。さらに、赤色光源装置１２０は、赤色光源１２１の右側パネル１４側に配置されるヒートシンク１３０を備える。そして、ヒートシンク１３０と正面パネル１２との間には冷却ファン２６１が配置されており、この冷却ファン２６１及びヒートシンク１３０によって赤色光源１２１が冷却される。
【００３７】
第２の光源としての緑色光源装置８０を構成する蛍光ホイール装置１００は、正面パネル１２と平行となるように、つまり、励起光照射装置７０からの出射光の光軸と直交するように配置された蛍光ホイール１０１と、この蛍光ホイール１０１を回転駆動するホイールモータ１１０と、励起光照射装置７０から出射される励起光の光線束を蛍光ホイール１０１に集光するとともに蛍光ホイール１０１から背面パネル１３方向に出射される光線束を集光する集光レンズ群１０７と、蛍光ホイール１０１から正面パネル１２方向に出射される光線束を集光する集光レンズ１１５と、を備える。なお、ホイールモータ１１０と正面パネル１２との間には冷却ファン２６１が配置されており、この冷却ファン２６１によって蛍光ホイール装置１００等が冷却される。
【００３８】
蛍光ホイール１０１は、励起光照射装置７０から集光レンズ群１０７を介した出射光を励起光として受けて緑色波長帯域の蛍光光を出射する蛍光発光領域と、励起光照射装置７０からの出射光である励起光が拡散されて透過される拡散透過領域と、が周方向に連続して設けられている。
【００３９】
蛍光ホイール１０１の基材は銅やアルミニウム等から成る金属基材である。この金属基材の励起光照射装置７０側の表面には、環状の溝が形成され、この溝の底部が銀蒸着等によってミラー加工される。蛍光発光領域は、このミラー加工された表面に緑色蛍光体の層が敷設されてなる。また、拡散透過領域は、金属基材の切抜き透孔部に表面をサンドブラスト等で微細凹凸を形成した透明基材が嵌入されてなる。
【００４０】
蛍光発光領域における蛍光体層に励起光照射装置７０からの励起光としての青色波長帯域光が照射されると、緑色蛍光体が励起され、この緑色蛍光体から全方位に第２の波長帯域光である緑色波長帯域光が出射される。蛍光発光された光線束は、蛍光ホイール１０１の正面側（換言すれば、背面パネル１３側）へ出射され、集光レンズ群１０７に入射する。また、蛍光体層の蛍光体に吸収されることなく、金属基材に照射された励起光は、反射面により反射されて再び蛍光体層に入射し、蛍光体を励起することとなる。よって、蛍光ホイール１０１の凹部の表面を反射面とすることにより、励起光照射装置７０から出射される励起光の利用効率を上げることができ、より明るく発光させることができる。
【００４１】
一方、蛍光ホイール１０１における拡散透過領域に入射された励起光照射装置７０からの青色波長帯域光は、蛍光ホイール１０１を拡散透過され、蛍光ホイール１０１の背面側（換言すれば、正面パネル１２側）に配置された集光レンズ１１５に入射する。
【００４２】
そして、導光光学系１４０は、第一ダイクロイックミラー１４１，集光レンズ１４９，第二ダイクロイックミラー１４８，第一反射ミラー１４３，集光レンズ１４６，第二反射ミラー１４５，集光レンズ１４７，集光レンズ１４２からなる。第一ダイクロイックミラー１４１は、励起光照射装置７０から出射される青色波長帯域光及び蛍光ホイール１０１から出射される緑色波長帯域光と、赤色光源装置１２０から出射される赤色波長帯域光とが交差する位置に配置される。第一ダイクロイックミラー１４１は、青色及び赤色波長帯域光を透過し、緑色波長帯域光を反射して、この緑色波長帯域光の光軸を左側パネル１５方向に９０度変換する。
【００４３】
また、蛍光ホイール１０１を拡散透過した青色波長帯域光の光軸上、つまり、集光レンズ１１５と正面パネル１２との間には、青色波長帯域光を反射して、この青色光の光軸を左側パネル１５方向に９０度変換する第一反射ミラー１４３が配置されている。第一反射ミラー１４３における左側パネル１５側には、集光レンズ１４６が配置され、さらにこの集光レンズ１４６の左側パネル１５側には、第二反射ミラー１４５が配置されている。第二反射ミラー１４５の背面パネル１３側には、集光レンズ１４７が配置されている。第二反射ミラー１４５は、第一反射ミラー１４３により反射され、集光レンズ１４６を介して入射される青色波長帯域光の光軸を背面パネル１３側に９０度変換する。第二反射ミラー１４５により反射された青色波長帯域光は、集光レンズ１４７を介して第二ダイクロイックミラー１４８を透過して集光レンズ１４２により集光される。
【００４４】
また、第一ダイクロイックミラー１４１の左側パネル１５側には、集光レンズ１４９が配置されている。さらに、集光レンズ１４９の左側パネル１５側であって、集光レンズ１４７の背面パネル１３側には、第二ダイクロイックミラー１４８が配置されている。第二ダイクロイックミラー１４８は、赤色波長帯域光及び緑色波長帯域光を反射して背面パネル１３側に９０度光軸を変換し、青色波長帯域光を透過させる。第二ダイクロイックミラー１４８の背面パネル１３側には、集光レンズ１４２が配置されている。
【００４５】
第一ダイクロイックミラー１４１を透過した赤色波長帯域光の光軸は、第一ダイクロイックミラー１４１により反射された緑色波長帯域光の光軸と一致される。第一ダイクロイックミラー１４１を透過した赤色波長帯域光及び第一ダイクロイックミラー１４１により反射された緑色波長帯域光は、共に集光レンズ１４９に入射される。そして、集光レンズ１４９を透過した赤色及び緑色波長帯域光は、第二ダイクロイックミラー１４８により反射され、集光レンズ１４２により集光される。
【００４６】
このようにして、赤色、緑色、青色の各波長帯域光の光束は、導光光学系１４０により同一光路上に導光される。導光光学系１４０により導光された各色波長帯域光は、導光光学系１４０の集光レンズ１４２により集光される。そして、各波長帯域の光束は、集光レンズ１４２の背面パネル１３側に配置される集光幅調整素子４００により、各色光束の集光幅を揃えられて、光源側光学系１７０のライトトンネル１７５の入射口に入射される。ライトトンネル１７５に入射される各色光束は、ライトトンネル１７５により均一な強度分布の光線束とされる。なお、集光幅調整素子４００については、詳細を後述する。
【００４７】
光源側光学系１７０は、ライトトンネル１７５，集光レンズ１７８，光軸変換ミラー１８１，集光レンズ１８３，照射ミラー１８５，コンデンサレンズ１９５により構成されている。なお、コンデンサレンズ１９５は、コンデンサレンズ１９５の背面パネル１３側に配置される表示素子５１から出射された画像光を投影側光学系２２０に向けて出射するので、投影側光学系２２０の一部ともされている。
【００４８】
ライトトンネル１７５の背面パネル１３側の光軸上には、集光レンズ１７８を介して、光軸変換ミラー１８１が配置されている。ライトトンネル１７５の出射口から出射した光線束は、集光レンズ１７８で集光された後、光軸変換ミラー１８１により、左側パネル１５側に光軸を変換される。
【００４９】
光軸変換ミラー１８１で反射した光線束は、集光レンズ１８３により集光された後、照射ミラー１８５により、コンデンサレンズ１９５を介して表示素子５１に所定の角度で照射される。なお、ＤＭＤとされる表示素子５１は、背面パネル１３側にヒートシンク１９０が設けられ、このヒートシンク１９０により表示素子５１は冷却される。
【００５０】
光源側光学系１７０により表示素子５１の画像形成面に照射された光源光である光線束は、表示素子５１の画像形成面で反射され、投影光として投影側光学系２２０を介してスクリーンに投影される。ここで、投影側光学系２２０は、コンデンサレンズ１９５，可動レンズ群２３５，固定レンズ群２２５により構成されている。固定レンズ群２２５は、固定鏡筒に内蔵される。可動レンズ群２３５は、可動鏡筒に内蔵され、レンズモータにより移動可能とされることにより、ズーム調整やフォーカス調整を可能としている。
【００５１】
このように投影装置１０を構成することで、蛍光ホイール１０１を回転させるとともに第３の光源である励起光照射装置７０及び第１の光源である赤色光源装置１２０から異なるタイミングで光を出射すると、赤色、緑色及び青色の各波長帯域光が導光光学系１４０を介して集光幅調整素子４００及びライトトンネル１７５に順次入射され、さらに光源側光学系１７０を介して表示素子５１に入射されるため、投影装置１０の表示素子５１であるＤＭＤがデータに応じて各色の光を時分割表示することにより、スクリーンにカラー画像を投影することができる。
【００５２】
次に、図４に基づいて、集光幅調整素子４００について説明する。図４は集光幅調整素子４００の斜視図である。集光幅調整素子４００は、直方体形状として形成されている。板状とされる基材４０５は、ガラス材により形成されている。そして、この基材４０５には、上下方向を長手方向とした短冊状に形成されるダイクロイック層４１１〜４１４及び４１６〜４１９が複数設けられているダイクロイック層素子４１０となっている。各ダイクロイック層４１１〜４１４及び４１６〜４１９は、光束の進行方向に対して傾斜するように、図４における正面側及び背面側の面に対して４５度の角度で配置されている。
【００５３】
より詳細には、ダイクロイック層素子４１０は、基材４０５の左右方向の中心から分けて、左右のダイクロイック層４１１〜４１４及び４１６〜４１９が対向するように（換言すれば、互いの面が向かい合う方向に）配置されている。本実施形態においては、ダイクロイック層素子４１０には、ダイクロイック層が左側に４枚と、右側に４枚の合計８枚が設けられている。すなわち、ダイクロイック層素子４１０は、右側のダイクロイック層４１１〜４１４と左側のダイクロイック層４１６〜４１９とが対向して配置されている。各ダイクロイック層４１１〜４１４及びダイクロイック層４１６〜４１９は、所定のピッチ間距離により等間隔で直線状に並べられて配置されている。
【００５４】
ダイクロイック層４１１〜４１４及び４１６〜４１９は、赤色波長帯域光を透過させ、緑色波長帯域光及び青色波長帯域光を反射するよう形成されている。なお、集光幅調整素子４００としてのダイクロイック層素子４１０は、図４における正面側が背面パネル１３側に向くように配置されている。
【００５５】
次に、図５により、集光レンズ１４２により集光され、集光幅調整素子４００（ダイクロイック層素子４１０）に入射される直前の各色波長帯域の光束の集光形状（すなわち、図６のＶ−Ｖ位置における光束の集光形状）を示す。図５（ａ）は、第１の光源である赤色光源装置１２０から出射された第１の波長帯域光である赤色波長帯域光ＤＲが集光される様子を示す模式図である。同様に、図５（ｂ）は、第２の光源である緑色光源装置８０からの第２の波長帯域光である緑色波長帯域光ＦＧである蛍光光を示す。図５（ｃ）は、第３の光源である励起光照射装置７０が蛍光ホイール１０１の拡散透過板を介して集光された第３の波長帯域光である青色波長帯域光ＬＢが集光される様子を示す図である。なお、図５及び図６では、赤色波長帯域光ＤＲを二点鎖線で示し、緑色波長帯域光ＦＧを一点鎖線で示し、青色波長帯域光ＬＢを実線で示す。
【００５６】
図５（ａ）に示す通り、赤色光源装置１２０から出射された赤色波長帯域光ＤＲは、横長の楕円形状に集光される。赤色光源装置１２０の赤色光源１２１である赤色発光ダイオードは、発光面自体が横長の形状をしているため、その集光形状は横長となる。そして、ライトトンネル１７５は断面を横長矩形形状とされる。このように、赤色光源装置１２０からの赤色波長帯域光ＤＲは、ライトトンネル１７５の断面形状にほぼ合わせられた楕円形状として集光される。
【００５７】
図５（ｂ）の緑色波長帯域光ＦＧの集光形状は、ほぼ円形とされている。蛍光ホイール１０１の蛍光発光領域から出射される蛍光光である緑色波長帯域光ＦＧは拡散光のため、集光レンズ１４２で集光された光束の集光形状は、励起光が照射されて発光する蛍光体発光部の形状に合わせてほぼ円形の集光形状とされている。
【００５８】
図５（ｃ）の青色波長帯域光ＬＢは、青色レーザダイオード７１が蛍光ホイール１０１の拡散透過領域を透過して光束が集光レンズ１４２により集光された光である。レーザダイオードからの出射光は、一般に、指向性が強く、また、蛍光ホイール１０１の蛍光発光領域への照射に合わせて励起光照射装置７０における配列等が調整されているため、ほぼ円形の集光形状とされる。
【００５９】
次に、図６に基づいて、各色波長帯域光が集光幅調整素子４００を透過する様子を示す。前述の通り、ダイクロイック層素子４１０（ダイクロイック層４１１〜４１４及びダイクロイック層４１６〜４１９）は、赤色波長帯域光を透過させ、緑色波長帯域光及び青色波長帯域光を反射させる。従って、例えば赤色波長帯域光ＤＲ１は、集光幅調整素子４００を透過して、ライトトンネル１７５の入射口に入射される。緑色波長帯域光ＦＧ１は、ダイクロイック層４１２により、図６における右方向に反射され、ダイクロイック層４１１によりライトトンネル１７５側に反射されてライトトンネル１７５の入射口に入射される。同様に、青色波長帯域光ＬＢ１は、ダイクロイック層４１２により、図６における右方向に反射され、ダイクロイック層４１１によりライトトンネル１７５側に反射されてライトトンネル１７５の入射口に入射される。
【００６０】
このようにして、緑色波長帯域光ＦＧ及び青色波長帯域光ＬＢは、集光幅調整素子４００における中心から右側のダイクロイック層４１１〜４１４により、右方向（図３では左方向）に広げられる。同様に、緑色波長帯域光ＦＧ及び青色波長帯域光ＬＢは、集光幅調整素子４００における中心から左側のダイクロイック層４１６〜４１９により、左方向（図３では右方向）に広げられる。よって、緑色波長帯域光ＦＧ及び青色波長帯域光ＬＢの集光幅は、左右方向に広げられて、赤色波長帯域光ＤＲの集光幅に近似した幅に揃えられる。
【００６１】
そして、各ダイクロイック層４１１〜４１４及びダイクロイック層４１６〜４１９が直線状に並べられて配置される、そのピッチ間距離は、集光幅を調整される光束の調整幅に対応して設定すればよい。例えば、本実施形態において、赤色波長帯域光ＤＲの横幅がライトトンネルの入口で６ｍｍであって、緑色波長帯域光ＦＧの横幅がライトトンネルの入口で４ｍｍである場合には、緑色波長帯域光ＦＧの光束を左右方向に２ｍｍ広げればよい。従って、右側のダイクロイック層４１１〜４１４及び左側のダイクロイック層４１６〜４１９それぞれのピッチ間距離は、１ｍｍとすればよい。ダイクロイック層４１１〜４１４及び４１６〜４１９のピッチ間距離を１ｍｍとすれば、緑色波長帯域光ＦＧは、左側及び右側にそれぞれ１ｍｍずつ広がり、赤色波長帯域光ＤＲの横幅と揃えられる。
【００６２】
なお、本実施形態においては、ダイクロイック層素子４１０は、赤色波長帯域光を透過し、緑色波長帯域光及び青色波長帯域光を反射するダイクロイック層で構成したが、各色波長帯域光の集光幅に応じて、例えば青色波長帯域光のみ反射する複数のダイクロイック層からなるダイクロイック層素子４１０Ａとすることもできる。このように、青色波長帯域光のみ等の所望の単一の波長帯域光を反射するダイクロイック層素子４１０Ａとすれば、所望の一の波長帯域光の集光幅を調整することができる。
【００６３】
そして、緑色波長帯域光のみを反射するダイクロイック層を有する集光幅調整素子としてのダイクロイック層素子４１０Ｂと、青色波長帯域光のみを反射する複数のダイクロイック層を有する集光幅調整素子としてのダイクロイック層素子４１０Ａを、直列に間隔をあけて、又は、間隔をあけずに接合させて配置することもできる。このように、ダイクロイック層素子４１０Ｂ及びダイクロイック層素子４１０Ａを異なる波長帯域光の光束の集光幅を調整可能な二つの集光幅調整素子として配置することにより、異なる波長帯域光それぞれの光束の集光形状に応じて別個に集光幅を調整することが出来る。
【００６４】
なお、上記第１の実施形態では、入射光が必ずダイクロイック層に入射される例で説明したが、素子の厚さとピッチの関係により、隣り合うダイクロイック層の間を入射光束が通り抜けるような構成としてもよい。このような構成にすることにより、調整の自由度が上がる。
【００６５】
（第２の実施形態）
次に、本発明の第２の実施形態について図７及び図８に基づいて説明する。本実施形態は、第１の実施形態における複数のダイクロイック層からなる集光幅調整素子４００としてのダイクロイック層素子４１０（４１０Ａ、４１０Ｂ）を、プリズム素子４５０に置き換えたものである。よって、この他の部材や構成については、同一の符号を用いて、その説明は省略する。
【００６６】
プリズム素子４５０は、図７における背面側に各色波長帯域光が入射される入射部４６０が形成される。一方、プリズム素子４５０の図７における正面側には、入射された各色波長帯域光がライトトンネル１７５に向けて出射される出射部４７０が形成されている。そして、プリズムとして形成される集光幅調整素子としてのプリズム素子４５０は、ガラス等の透明材料により形成されている。
【００６７】
入射部４６０は、平坦な二つの傾斜面４６１，４６２により形成される傾斜部を有する。傾斜面４６１，４６２は、入射される光束の光軸に対して傾斜するとともに、この傾斜する向きがそれぞれ異なって形成される。換言すれば、傾斜面４６１，４６２は、互いに向かい合うようにして傾斜して形成される。そして、傾斜面４６１，４６２により形成される傾斜部は、上面視において凹状に形成されている。一方、出射部４７０は、出射される光束の光軸に対して直交する平面として形成されている。
【００６８】
集光幅調整素子としてのプリズム素子４５０の入射部４６０に入射される直前の各色波長帯域光の集光幅形状は、図５（ａ）〜（ｃ）に示す各色波長帯域光の集光幅形状と同じである。すなわち、各色波長帯域の光束の集光幅形状は、赤色波長帯域光ＤＲが一番大きく、次いで緑色波長帯域光ＦＧ、青色波長帯域光ＬＢの順に小さくなる。
【００６９】
次に、図８により、プリズム素子４５０を介して赤色波長帯域光ＤＲ、緑色波長帯域光ＦＧ、青色波長帯域光ＬＢの各色波長帯域光がライトトンネル１７５の入射口に入射される様子を説明する。プリズム素子４５０の入射部４６０には、赤色波長帯域光ＤＲ、緑色波長帯域光ＦＧ、青色波長帯域光ＬＢが入射される。入射部４６０に入射された光は、傾斜面４６１，４６２からプリズム素子４５０に入射される際に一度屈折し、プリズム素子４５０の出射部４７０から出射される際にも屈折される。
【００７０】
ここで、一般に、物質中では波長が短いほど光の速度は遅くなるので、屈折率は波長が短いほど大きくなる。よって、赤色波長帯域光ＤＲ、緑色波長帯域光ＦＧ、青色波長帯域光ＬＢを比較した場合には、波長が一番短い青色波長帯域光ＬＢの屈折率が一番大きくなり、波長が一番長い赤色波長帯域光ＤＲの屈折率が一番小さくなる。そして、集光幅調整素子４００であるプリズム素子４５０の屈折率は、集光幅を調整される光束の調整幅に対応して設定されている。本実施形態においては、緑色波長帯域光ＦＧ及び青色波長帯域光ＬＢの幅を広げて赤色波長帯域光ＤＲの集光幅に揃えられるよう、プリズム素子４５０の屈折率が設定されている。
【００７１】
例えば、図８において、赤色波長帯域光ＤＲ１、緑色波長帯域光ＦＧ１、青色波長帯域光ＬＢ１は、入射部４６０の傾斜面４６１に入射されると、それぞれ異なる屈折角度で屈折される。そして、波長の一番短い青色波長帯域光ＬＢ１は大きく屈折し、図８において右方側に寄ってライトトンネル１７５の入射口に入射される。波長の一番長い赤色波長帯域光ＤＲ１は小さく屈折してライトトンネル１７５の入射口に入射される。このようにして、ライトトンネル１７５の入射口における各色波長帯域光の集光幅が近似するように揃えられる。
【００７２】
また、プリズム素子４５０に入射される光束は、プリズムの作用により屈折されるので、光束の入射角と出射角は異なる。従って、光束の角度分布が所望の角度分布となるように、設定することもできる。
【００７３】
また、本実施形態においては、入射部４６０における傾斜部は、上面視において凹状に形成される。しかしながら、傾斜部は、入射幅の順序に応じて、上面視において凸状に形成することもできる。なお、図７に示す傾斜部における頂角αの角度は、集光幅を調整される光束の調整幅に対応して設定することができる。
【００７４】
また、本実施形態における傾斜部は、平坦な二つの傾斜面４６１，４６２により形成される傾斜部に換えて、楕円形の底面が光束の光軸と直交する楕円錐状の傾斜部とすることもできる。この場合においても、傾斜部は、入射幅の順序に応じて、上面視において凹状とすることもできるし、凸状とすることもできる。また、この場合の傾斜部における楕円錐を上面視した場合の頂角の角度は、集光幅を調整される光束の調整幅に対応して設定することが出来る。同様に、傾斜部を楕円錐状に形成した場合のプリズムの屈折率も、集光幅を調整される光束の調整幅に対応して設定することができる。
【００７５】
さらにまた、本実施形態においては、傾斜部を入射部４６０のみに形成したが、これに限られることはなく、出射部４７０に傾斜部を形成する、または、入射部４６０及び出射部４７０の両方に傾斜部を形成することもできる。さらに、入射部４６０又は出射部４７０の何れか一方側に平坦な二つの傾斜面からなる傾斜部を形成し、他方側に楕円錐状の傾斜部を形成することもできる。
【００７６】
以上、本発明の実施形態を説明したが、本発明は以上の実施形態によっては限定されず、種々の態様で実施することができる。例えば、光源装置６０は、第１の波長帯域光を発する第１の光源（赤色光源装置１２０）、第２の波長帯域光を発する第２の光源（緑色光源装置８０）、第３の波長帯域光を発する第３の光源（励起光照射装置７０）の光の三原色を発するよう構成したが、黄色、マゼンダ、シアン等の補色を発する光源等を追加することもできる。
【００７７】
以上、本発明の実施形態によれば、光源装置６０は、赤色光源装置１２０，緑色光源装置８０，励起光照射装置７０から発せられる赤色、緑色、青色の異なる波長帯域の光束を同一光路上に導光する導光光学系１４０を備える。そして、導光光学系１４０により導光された赤色、緑色、青色の波長帯域の光束について、集光幅調整素子４００としてのダイクロイック層素子４１０（４１０Ａ，４１０Ｂ），プリズム素子４５０により、各色光束の集光幅がそれぞれ揃えられる。
【００７８】
これにより、特性の異なる光源である赤色光源装置１２０、緑色光源装置８０、励起光照射装置７０からの出射光であっても、集光幅の広い赤色に合わせて緑色及び青色の集光幅を広げ、各色波長帯域光の集光幅を揃えることができる。従って、光源の特性に拘らず、光源装置６０から出射される赤色、緑色、青色波長帯域の輝度分布を均一にすることができる。
【００７９】
また、集光幅調整素子４００としてのダイクロイック層素子４１０は、ダイクロイック層４１１〜４１４及び４１６〜４１９が板状の基材４０５中に光束の進行方向に対して傾斜するように、正面側及び背面側の面に対して４５度となるよう形成した。これにより、簡単な構成で集光幅調整素子４００（ダイクロイック層素子４１０）を形成することができる。
【００８０】
また、集光幅調整素子４００は、赤色、緑色、青色の各色波長帯域光のうち、例えば、発光ダイオードを用いた赤色波長帯域光と蛍光光である緑色波長帯域光が十分な集光幅を有する場合には、青色の光束の集光幅のみを調整可能なダイクロイック層素子４１０Ａとすることができる。これにより、各色波長帯域光を出射する光源の特性に合わせて、集光幅調整素子４００としてのダイクロイック層素子の構造を簡単なものとすることができる。
【００８１】
また、集光幅調整素子４００は、赤色、緑色、青色の各色波長帯域のうち、緑色及び青色の波長帯域光について集光幅を調整可能なダイクロイック層素子４１０とすることができる。これにより、複数の異なる波長帯域光の光束の集光幅を調整することができる。
【００８２】
また、集光幅調整素子４００におけるダイクロイック層４１１〜４１４及び４１６〜４１９のピッチ間距離は、集光幅を調整される光束の調整幅に対応して設定される。これにより、集光幅の調整が必要な光束の集光幅を適切に調整することができる。
【００８３】
また、集光幅調整素子４００としてのプリズム素子４５０は、導光光学系１４０により導光された赤色、緑色、青色の各波長帯域光の光束が入射される入射部４６０と、この入射部４６０に入射される光束が出射される出射部４７０と、を有するプリズムであって、入射部４６０は、二つの傾斜面４６１，４６２により形成される傾斜部を有する。これにより、入射される各色波長帯域光の光束の集光幅が揃えられるように調整することができるとともに、各色波長帯域光の光束の角度分布も調整することができる。
【００８４】
また、傾斜部は、底面が光束の光軸と直交する楕円錐状に形成することが出来る。これにより、入射される各色波長帯域光の光束の集光形状を、幅方向だけでなく、高さ方向にも調整できるので、投影光のアスペクト比に合わせた楕円形状として一様に出射させることができる。
【００８５】
また、傾斜部は、上面視において凹状に形成される。これにより、集光幅の広い赤色の波長帯域光の光束の集光幅に合わせて緑色及び青色波長帯域光の集光幅を広げるようにして集光幅を揃えることができる。
【００８６】
また、傾斜部の角度は、集光幅を調整される光束の調整幅に対応して設定される。これにより、容易に所望の調整幅に対応した集光幅調整素子４００としてのプリズム素子４５０を得ることができるので、各色光束の集光幅及び角度分布を適切なものとすることができる。
【００８７】
また、集光幅調整素子４００としてのプリズム素子４５０は、集光幅を調整される光束の調整幅に対応して屈折率が設定される。これにより、プリズムの材質を選択するだけで容易に各色光束の集光幅及び角度分布を適切なものとすることができる。
【００８８】
また、光源装置６０は、第１の光源である赤色光源装置１２０と、第２の光源である緑色光源装置８０と、第３の光源である励起光照射装置７０を設けた。これにより、集光幅を揃えて色ムラを低減した光源装置６０について、三色光源を有する光源装置６０を提供することができる。
【００８９】
また、光源装置６０は、蛍光発光領域と拡散透過領域を有する蛍光ホイール１０１を有する。そして、第２光源である緑色光源装置８０は、第３の光源である励起光照射装置７０からの励起光が蛍光ホイール１０１の蛍光発光領域に照射されて発せられる。一方、第３の光源からの青色波長帯域光は、拡散透過領域を透過されて合成される。これにより、第３の光源を励起光と利用しつつ青色光源ともすることができるとともに、拡散光とされる蛍光光を利用することができる光源装置６０を提供することができる。
【００９０】
また、投影装置１０は、光源装置６０と、表示素子５１と、投影側光学系２２０と、投影装置制御手段とにより形成した。これにより、各色波長帯域光の光束の集光幅が揃えられえた光源光により、赤色、緑色、青色の各波長帯域の投影光の照度分布を均一にすることができる。従って、投影装置１０により投影される白色画像の色ムラが低減されるので、鮮明な白色画像を投影することができる。
【００９１】
以上説明した実施形態は、例として提示したものであり、発明の範囲を限定することは意図していない。これら新規な実施形態は、その他の様々な形態で実施されることが可能であり、発明の趣旨を逸脱しない範囲で、種々の省略、置き換え、変更を行うことができる。これらの実施形態やその変形は、発明の範囲や要旨に含まれるとともに、特許請求の範囲に記載された発明とその均等の範囲に含まれる。
【００９２】
以下に、本願出願の最初の特許請求の範囲に記載された発明を付記する。
［１］異なる波長帯域の光束が発せられる複数の光源と、
複数の前記光源から発せられる異なる波長帯域の光束を同一光路上に導光して同一方向に向かわせる導光光学系と、
前記導光光学系により導光された異なる波長帯域の前記光束について、それぞれの前記光束の集光幅を揃える集光幅調整素子と、
を備えることを特徴とする光源装置。
［２］前記集光幅調整素子は、板状の基材中に前記光束の進行方向に対して傾斜した複数のダイクロイック層を含むダイクロイック層素子であることを特徴とする前記［１］に記載の光源装置。
［３］前記ダイクロイック層素子は、前記複数の光源のうち、一の光源から発せられる一の波長帯域光の光束の集光幅を調整可能に形成される複数のダイクロイック層を含むことを特徴とする前記［２］に記載の光源装置。
［４］前記ダイクロイック層素子は、前記複数の光源のうち、二つの光源から発せられる二つの異なる波長帯域光の光束の集光幅を調整可能に形成される複数のダイクロイック層を含むことを特徴とする前記［２］に記載の光源装置。
［５］複数の前記ダイクロイック層は、短冊状に並べられて配置されるとともに、そのピッチ間距離は、集光幅を調整される光束の調整幅に対応して設定されていることを特徴とする前記［２］乃至前記［４］の何れかに記載の光源装置。
［６］前記集光幅調整素子は、前記導光光学系により導光された前記光束が入射される入射部と、前記入射部に入射された前記光束が出射される出射部と、を有するプリズム素子であって、
前記入射部及び前記出射部の少なくとも何れか一方は、傾斜する向きが異なる二つの傾斜面により形成される傾斜部を有することを特徴とする前記［１］に記載の光源装置。
［７］前記集光幅調整素子は、前記導光光学系により導光された前記光束が入射される入射部と、前記入射部に入射された光束が出射される出射部と、を有するプリズム素子であって、
前記入射部及び前記出射部の少なくとも何れか一方は、楕円形の底面が前記光束の光軸と直交する楕円錐状の傾斜部を有することを特徴とする前記［１］に記載の光源装置。
［８］前記傾斜部は、凹状に形成されることを特徴とする前記［６］又は前記［７］に記載の光源装置。
［９］前記傾斜部の角度は、集光幅を調整される光束の調整幅に対応して設定されていることを特徴とする前記［６］乃至前記［８］の何れか記載の光源装置。
［１０］前記プリズム素子は、集光幅を調整される光束の調整幅に対応して屈折率が設定されていることを特徴とする前記［５］乃至前記［８］の何れか記載の光源装置。
［１１］複数の前記光源は、第１の光源と、第２の光源と、第３の光源からなり、
前記第１の光源は、第１の波長帯域光を発し、
前記第２の光源は、前記第１の波長帯域光と異なる波長帯域の第２の波長帯域光を発し、
前記第３の光源は、前記第１の波長帯域光及び前記第２の波長帯域光と異なる波長帯域の第３の波長帯域光を発することを特徴とする前記［１］乃至前記［１０］の何れかに記載の光源装置。
［１２］前記第１の光源は、発光ダイオードからなり、
前記第３の光源は、レーザダイオードからなり、
前記第２の光源は、前記第３の光源からの出射光を励起光として照射される蛍光発光領域及び前記第３の光源からの出射光が透過される拡散透過領域が設けられる蛍光ホイールを備える蛍光ホイール装置を有することを特徴とする前記［１１］に記載の光源装置。
［１３］前記［１］乃至前記［１２］の何れか記載の光源装置と、
前記光源装置からの光源光が照射され、画像光を形成する表示素子と、
前記表示素子から出射された前記画像光をスクリーンに投影する投影側光学系と、
前記表示素子と、前記光源装置を制御する投影装置制御手段と、
を有することを特徴とする投影装置。
【符号の説明】
【００９３】
１０    投影装置                              １１    上面パネル
１２    正面パネル                            １３    背面パネル
１４    右側パネル                            １５    左側パネル
１７    排気孔                                １８    吸気孔
１９    レンズカバー                          ２１    入出力コネクタ部
２２    入出力インターフェース                ２３    画像変換部
２４    表示エンコーダ                        ２５    ビデオＲＡＭ
２６    表示駆動部                            ３１    画像圧縮／伸長部
３２    メモリカード                          ３５    Ｉｒ受信部
３６    Ｉｒ処理部                            ３７    キー／インジケータ部
３８    制御部                                ４１    光源制御回路
４３    冷却ファン駆動制御回路                ４５    レンズモータ
４７    音声処理部                            ４８    スピーカ
５１    表示素子                              ６０    光源装置
７０    励起光照射装置                        ７１    青色レーザダイオード
７３    コリメータレンズ                      ７５    反射ミラー群
７６    ミラー基板                            ７８    集光レンズ
８０    緑色光源装置                          ８１    ヒートシンク
１００  蛍光ホイール装置
１０１  蛍光ホイール                          １０７  集光レンズ群
１１０  ホイールモータ                        １１５  集光レンズ
１２０  赤色光源装置                          １２１  赤色光源
１２５  集光レンズ群                          １３０  ヒートシンク
１４０  導光光学系                            １４１  第一ダイクロイックミラー
１４２  集光レンズ                            １４３  第一反射ミラー
１４５  第二反射ミラー                        １４６  集光レンズ
１４７  集光レンズ                            １４８  第二ダイクロイックミラー
１４９  集光レンズ                            １７０  光源側光学系
１７５  ライトトンネル                        １７８  集光レンズ
１８１  光軸変換ミラー
１８３  集光レンズ                            １８５  照射ミラー
１９０  ヒートシンク                          １９５  コンデンサレンズ
２２０  投影側光学系                          ２２５  固定レンズ群
２３５  可動レンズ群                          ２４１  制御回路基板
２６１  冷却ファン                            ４００  集光幅調整素子
４０５  基材
４１０  ダイクロイック層素子                  ４１１  ダイクロイック層
４１２  ダイクロイック層                      ４１３  ダイクロイック層
４１４  ダイクロイック層                      ４１６  ダイクロイック層
４１７  ダイクロイック層                      ４１８  ダイクロイック層
４１９  ダイクロイック層                      ４５０  プリズム素子
４６０  入射部                                ４６１  傾斜面
４６２  傾斜面                                ４７０  出射部
【図１】
2016057443.tif 000003
【図２】
2016057443.tif 000004
【図３】
2016057443.tif 000005
【図４】
2016057443.tif 000006
【図５】
2016057443.tif 000007
【図６】
2016057443.tif 000008
【図７】
2016057443.tif 000009
【図８】
2016057443.tif 000010